【事件の表示】
　特許第２８９３５９９号「偏光光源及び投写型表示装置」の請求項１〜６に係る特許に対する特許異議の申立てについて、次のとおり決定する。
【結　論】
　訂正を認める。
　特許第２８９３５９９号の請求項１ないし６に係る特許を維持する。
【理　由】
（１）手続きの経緯      
　本件特許第２８９３５９９号発明は、平成１年１０月５日に出願され、平成１１年３月５日にその発明の特許がなされ、その後、伊藤　信和、鈴木　俊孝及び小栗　克之より特許異議の申立てがなされ、取消理由通知がなされ、その指定期間内である平成１２年４月１３日に訂正請求がなされ、訂正拒絶理由通知がなされ、これに対して、意見書が提出されたものである。
（２）訂正の適否についての判断
ア．訂正の内容
ａ、明細書の特許請求の範囲第１項に係る発明を
「（１）光源と、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ/２板であり、かつ、前記偏光分離手段の前記Ｐ偏光成分の光を出射する光出射面に配置されてなり、前記λ/２板の光出射面側および前記反射手段の光出射側に偏光板が設けられてなり、前記λ/２板によって前記Ｓ偏光成分の光の偏光方向に変換された光と、前記反射手段によって反射された前記Ｓ偏光成分の光とが、その偏光方向を変えることなく前記偏光板に入射されることを特徴とする偏光光源。」と訂正する。
ｂ、明細書の特許請求の範囲第２項に係る発明を
「（２）請求項１記載の偏光光源において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有することを特徴とする偏光光源。」と訂正する。
ｃ、明細書の特許請求の範囲第３項に係る発明を
「（３）光源と、前記光源から出射された光の偏光軸を揃える偏光発生手段と、前記偏光発生手段から出射された光を変調する変調手段と、前記変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ/２板であり、かつ、前記偏光分離手段の前記Ｐ偏光成分の光を出射する光出射面に配置されてなり、前記λ/２板の光出射面および前記反射手段の光出射側に偏光板が設けられてなり、前記λ/２板によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置。」と訂正する。
ｄ、明細書の特許請求の範囲第４項に係る発明を「（４）請求項３記載の投写型表示装置において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有し、前記集光手段によって集光された光が前記変調手段に入射されてなることを特徴とする投写型表示装置。」と訂正する。
ｅ、明細書の特許請求の範囲第５項に係る発明を
「（５）光源と、前記光源から出射された光の偏光軸を揃える偏光発生手段と、前記偏光発生手段から出射された光を複数の色光に分離するダイクロイックミラーと、前記ダイクロイックミラーによって分離された色光をそれぞれ変調する複数の変調手段と、前記複数の変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ/２板であり、かつ、前記偏光分離手段の前記Ｐ偏光成分の光を出射する光出射面に配置されてなり、前記λ/２板の光出射面側および前記反射手段の光出射側に偏光板が設けられてなり、前記λ/２板によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置。」と訂正する。
ｆ、平成１０年９月２８日付けの手続補正書（第３手続補正書）により補正された明細書第６頁第２行〜第７頁第１１行中の、「を有し、」（第３手続補正書第１頁第１１行）の次に「前記一方の偏光成分はＰ偏光成分であり、前記他方の偏光成分はＳ偏光成分であり、」を挿入し、「前記偏光方向変換手段は、前記偏光分離手段の前記一方の偏光成分の光」（第３手続補正書第１頁第１１〜１２行）を「前記偏光方向変換手段はλ/２板であり、かつ、前記偏光分離手段の前記Ｐ偏光成分の光」と訂正し、「前記偏光方向変換手段の」（第３手続補正書第１頁第１３行）を「前記λ/２板の」と訂正し、「前記偏光方向変換手段によって前記他方の偏光成分の光の偏光方向に変換された光と、前記反射手段によって反射された前記他方の偏光成分の光」（第３手続補正書第１頁第１４〜１６行）を「前記λ/２板によって前記Ｓ偏光成分の光の偏光方向に変換された光と、前記反射手段によって反射された前記Ｓ偏光成分の光」と訂正し、「他方の偏光成分の光の偏光方向に変換された光」（第３手続補正書第１頁第１９行）を「Ｓ偏光成分の光に変換された光」と訂正し、「反射された光」（第３手続補正書第１頁第２０行）を「反射されたＳ偏光成分の光」と訂正し、「を有し、」（第３手続補正書第２頁第４行）の次に「前記一方の偏光成分はＰ偏光成分であり、前記他方の偏光成分はＳ偏光成分であり、」を挿入し、「前記偏光方向変換手段は、前記偏光分離手段の前記一方の偏光成分の光」（第３手続補正書第２頁第４〜５行）を「前記偏光方向変換手段はλ/２板であり、かつ、前記偏光分離手段の前記Ｐ偏光成分の光」と訂正し、「前記偏光方向変換手段の」（第３手続補正書第２頁第６行）を「前記λ/２板の」と訂正し、「前記偏光方向変換手段によって前記他方の偏光成分の光の偏光方向に変換された光と、前記反射手段によって反射された前記他方の偏光成分の光」（第３手続補正書第２頁第７〜９行）を「前記λ/２板によって前記Ｓ偏光成分の光の偏光方向に変換された光と、前記反射手段によって反射された前記Ｓ偏光成分の光」と訂正し、「他方の偏光成分の光の偏光方向に変換された光」（第３手続補正書第２頁第１２〜１３行）を「Ｓ偏光成分の光に変換された光」と訂正し、「反射された光」（第３手続補正書第２頁第１３〜１４行）を「反射されたＳ偏光成分の光」と訂正し、「を有し、」（第３手続補正書第２頁第２７行）の次に「前記一方の偏光成分はＰ偏光成分であり、前記他方の偏光成分はＳ偏光成分であり、」を挿入し、「前記偏光方向変換手段は、前記偏光分離手段の前記一方の偏光成分の光」（第３手続補正書第２頁第２７〜２８行）を「前記偏光方向変換手段はλ/２板であり、かつ、前記偏光分離手段の前記Ｐ偏光成分の光」と訂正し、「前記偏光方向変換手段の」（第３手続補正書第２頁第２８行〜第３頁第１行）を「前記λ/２板の」と訂正し、「前記偏光方向変換手段によって前記他方の偏光成分の光の偏光方向に変換された光と、前記反射手段によって反射された前記他方の偏光成分の光」（第３手続補正書第３頁第２〜４行）を「前記λ/２板によって前記Ｓ偏光成分の光の偏光方向に変換された光と、前記反射手段によって反射された前記Ｓ偏光成分の光」と訂正する。
ｇ、平成８年１０月７日付けの手続補正書（第１手続補正書）により補正された明細書第７頁第１３〜１５行中の、「上記のように構成された偏光光源及び投写型表示装置において、偏光分離手段として、プリズムを用いる場合、」を「上記のように構成された偏光光源及び投写型表示装置において、光源からの光をＰ偏光成分の光とＳ偏光成分の光とに分離し、かつ、前記Ｐ偏光成分の光と前記Ｓ偏光成分の光とを異なる方向に分離する偏光分離手段として、プリズムを用いる場合は、」と訂正し、明細書第８頁第５〜９行中の、「分離された両偏光成分は反射鏡により幾何光学的に偏光方向を同一にされ、あるいは、波長板であるλ/４板またはλ/２板を一方の偏光成分が透過することによって偏光方向を他方と同一にされて、両偏光成分共所望の偏光成分として」を「分離されたＳ偏光成分の光は反射鏡によりＰ偏光成分の光と平行な方向に反射され、分離されたＰ偏光成分の光はλ/２板によりＳ偏光成分の光に変換されて、分離されたＳ偏光成分の光と偏光方向を同一にされて、両偏光成分共、Ｓ偏光成分として」と訂正する。
ウ．訂正の目的の適否及び拡張・変更の存否等
　上記訂正ａ、〜ｅ、は、特許請求の範囲の減縮に該当し、願書に添付した明細書又は図面に記載された事項の範囲内のものであり、実質的に特許請求の範囲を拡張又は変更するものではなく、新規事項の追加もない。また、上記訂正ｆ、ｇは、特許請求の範囲の訂正に対応して、発明の詳細な説明の記載を訂正したものであるから、不明瞭な記載の釈明に該当し、願書に添付した明細書又は図面に記載された事項の範囲内のものであり、新規事項の追加もない。
エ．独立特許要件の判断
　そこで、上記訂正に係る請求項１〜５の発明が本件出願の際独立して特許を受けることができるかどうか検討する。
〈引用例について〉
　当審が平成１２年２月２日付け取消理由通知において引用した刊行物１（特開昭６１−１０２８９３号公報、以下「引用例１」という。）には「上記偏光軸が揃えられた平行光線を複数の色光に分離する手段と、上記分離された各色光が夫々入射され且つ各画素に対してマトリクス構成された駆動回路が設けられこの駆動回路を上記各色光に対応する色信号で制御することにより上記入射された色光に対して偏光変調をかけるように成された複数の透過型液晶と、上記偏光変調がかけられた各色光を通過させる偏光板とを設けて成る投写型表示装置。」（特許請求の範囲）、「光源１からの光線は、容器３のコールドミラーで反射されることにより、熱線が除去されると共に、可視光が集中化される。集中化された可視光は、容器３の開口から外部に放射される。」（第２頁左上欄第１５〜１９行）、「コールドミラー６で反射された平行光線の可視光は、次に偏向ビームスプリッタ７を透過することにより、偏向軸が例えばＸ軸に揃えられる。偏光ビームスプリッタ７で反射された偏向軸がＹ軸の可視光は、後述する偏向軸変換装置８により、偏向軸がＸ軸に変換される。偏光ビームスプリッタ７を透過したＸ軸の可視光は、次にダイクロイックミラー９に加えられる。尚、後述するように上記偏光軸変換装置８により変換されたＸ軸の可視光を、上記偏光ビームスプリッタ７を透過したＸ軸の可視光と共に、ダイクロイックミラー９に加えるように成すことにより、光のエネルギーを略１００％利用することができる。」（第２頁右上欄第７〜１９行）、「偏光板１９よりカラー画像が得られる。このカラー画像はズームレンズ２０を通じてスクリーン２１上に投写される。」（第３頁右上欄第９〜１１行）、「サンプルホールドされたＲ、Ｇ、Ｂ信号は、タイミングパルスｐによって制御される液晶１１、１５、１８に加えられて、各液晶に入射される色光を偏光変調する。」（第３頁左下欄第１０〜１３行）及び「次に前記偏光軸変換装置８について説明する。第１図において、偏光軸変換装置８は、ミラー５５とＴＦＴ型液晶５６とにより構成されている。ミラー５５は、偏光ビームスプリッタ７で反射されたＹ軸の平行可視光を反射させて、上記液晶５６に入射させるように配されている。従って、このＹ軸の入射可視光はこの液晶５６を透過することにより、Ｘ軸に変換される。このＸ軸の可視光を、前述したように偏光ビームスプリッタ７を透過したＸ軸の可視光と共にダイクロイックミラー９に加えるように成せば、光のエネルギーを略１００％利用することができ、画面を明るくすることができる。尚、他の実施例として、ミラー５５で反射されたＹ軸の可視光をそのままダイクロイックミラー９に加えると共に、偏光ビームスプリッタ７を透過したＸ軸の可視光を液晶を透過させてＹ軸に変換してダイクロイックミラー９に加えるようにしてもよい。その場合は偏光板１９として、Ｙ軸の可視光を透過させるものが用いられる。次に上記偏光軸変換装置８及び偏向ビームスプリッタ７を利用したネガ・ポジ変換装置について、第５図と共に説明する。図において、偏光軸変換装置８を構成する前記液晶５５には、その両面に透明電極５７、５８が設けられている。また偏光ビームスプリッタ７の透過側には、液晶５９が設けられ、この液晶５９の両面には透明電極６０、６１が設けられている。上記二つの液晶５６、５９を透過した光はレンズ６２で集束てされ、レンズ６３で平行化されて、ダイクロイックミラー９に加えられる。」（第４頁右下欄第２０行〜第５頁右上欄第１０行）との記載があり、結局、「光源１と、前記光源１からの光をＸ軸の光とＹ軸の光とに分離し、かつ、前記Ｘ軸の光と前記Ｙ軸の光とを異なる方向に分離する偏光ビームスプリッタ７と、前記偏光ビームスプリッタ７により分離された一方の偏光成分の光を他方の偏光成分の光の偏光方向に変換する偏光軸変換装置８と、前記偏光ビームスプリッタ７により前記一方の偏光成分の光と異なる方向に分離された他方の偏光成分の光を、前記一方の偏光成分の光と平行な方向に反射するミラー５５と、を有し、前記一方の偏光成分はＸ軸であり、前記他方の偏光成分はＹ軸であり、前記偏光軸変換装置８はＴＦＴ液晶５６であり、かつ、前記偏光ビームスプリッタ７の前記Ｙ軸の光をミラー５５で反射する光出射面に配置されてなる偏光光源」、「光源１と、前記光源１から出射された光の偏光軸を揃える偏光発生手段と、前記偏光発生手段から出射された光を変調する液晶１１、１５、１８と、前記液晶１１、１５、１８により変調された光を投写するズームレンズ２０とを有する投写型表示装置であって、前記偏光発生手段は、前記光源１からの光をＸ軸の光とＹ軸の光とに分離し、かつ、前記Ｘ軸の光と前記Ｙ軸の光とを異なる方向に分離する偏光ビームスプリッタ７と、前記偏光ビームスプリッタ７により分離されたＹ軸の光をミラー５５で反射して、ＴＦＴ液晶５６でＸ軸の光の偏光方向に変換する偏光軸変換装置８と、を有し、前記一方の偏光成分はＸ軸であり、前記他方の偏光成分はＹ軸である投写型表示装置」及び「光源１と、前記光源１から出射された光の偏光軸を揃える偏光発生手段と、前記偏光発生手段から出射された光を複数の色光に分離するダイクロイックミラー９、１３と、前記ダイクロイックミラー９、１３によって分離された色光をそれぞれ変調する複数の液晶１１、１３、１５と、前記複数の液晶１１、１３，１５により変調された光を投写するズームレンズ２０とを有する投写型表示装置であって、前記偏光発生手段は、前記光源１からの光をＸ軸の光とＹ軸の光とに分離し、かつ、前記Ｘ軸の光と前記Ｙ軸の光とを異なる方向に分離する偏光ビームスプリッタ７と、前記偏光ビームスプリッタ７により分離されたＹ軸の光をミラー５５で反射し、ＴＦＴ液晶５６でＸ軸の光の偏光方向に変換する偏光軸変換装置８と、前記偏光ビームスプリッタ７により前記Ｘ軸の光と異なる方向に分離されたＹ軸の光を、前記Ｘ軸の光と平行な方向に反射するミラー５５と、を有し、前記一方の偏光成分はＸ軸であり、前記他方の偏光成分はＹ軸であり、前記偏光軸変換装置８はＴＦＴ液晶５６であり、かつ、前記偏光ビームスプリッタ７の前記Ｙ軸の光をミラー５５で反射する光出射面に配置されてなる投写型表示装置」が開示されている。
　同じく引用した刊行物２（特開昭６１−９０５８４号公報、以下「引用例２」という。）には、「第１図は、垂直方向より見た図である。同図において、偏光ビームスプリッタ（７）のＰ偏光成分が反射して得られる側には全反射プリズム（１８）が配され、Ｐ偏光成分ＬＰはこの全反射プリズム（１８）で直角に反射して、偏光ビームスプリッタ（７）を通過して得られるＳ偏光成分ＬＳと同一方向に射出される。また、全反射プリズム（１８）の射出側にはλ/２光学位相板（１９）が配され、全反射プリズム（１８）より射出されたＰ偏光成分ＬＰはこのλ/２光学位相板（１９）によりその偏光面が９０°回転され、Ｓ偏光成分ＬＳ＊に変換される。」（第２頁左下欄第１４行〜右下欄第３行）及び「上述実施例においては、偏光ビームスプリッタ（７）より得られるＰ偏光成分ＬＰの偏光面を９０°回転させ、Ｓ偏光成分の合成光としたものであるが、この逆に偏光ビームスプリッタ（７）より得られるＳ偏光成分ＬＳの偏光面を９０°回転させ、Ｐ偏光成分の合成光として利用することも考えられる。」（第４頁左下欄第１〜６行）との記載がある。
　同じく引用した刊行物３（特開昭６３−１２１８２１号公報、以下「引用例３」という。）には、「第１図に示す様に、光源７からの光は、凹面鏡８によって平行光となるように取り出される。この平行光線は、偏光素子１２に入射し、Ｓ波１３とＰ波１４に分離される。」（第４頁左上欄第１〜４行）、「次に、この様な偏光素子１２により、分離されたＳ波１３とＰ波１４のうち、Ｓ波１３はそのまま液晶素子（液晶４とその両側に配された透明電極５とにより構成される。）に入射させる。この際、特に液晶素子の左半分のみに入射するような構成とする。また、一方のＰ波１４は、次に１/２波長板１８を通す。その結果、Ｐ波はＳ波に変換される。このような位相変換素子である１/２波長板１８は、一般に、雲母、あるいは石膏などの結晶をへき開させたものを平行面ガラスの間にはさみ、接着して作られている。次に、この変換されたＳ波は鏡１９によって進路を折り曲げられ、液晶素子の右半分に入射する。液晶素子では、第９図に示した従来例と同様に、透明電極５によりこの電極の厚み方向に電位差が与えられ 、それにより液晶４の配向状態を変化させ、入射した光の偏光状態を変化させる。液晶素子の次には、従来例と同様に偏光板６が配置されており、例えば、Ｓ波のみ選択して出射する様になっている。尚、この偏光板６は、普通に用いられている２色性色素を有する偏光板であってもかまわない。この様にして、光源７からの光は、透明電極５に加える電界に応じて、濃淡の生じる光に変調され、映像が表示される。」（第４頁右上欄第８行〜左下欄第１３行）、及び「第８図において、光源７、凹面鏡８、偏光素子１２、鏡１９、１/２波長板１８、液晶４、透明電極５、偏光板６、フィルター２１は、それぞれ第１図に示した液晶表示装置を構成しており、その動作は第１図で説明したのと同じである。尚、１/２波長板１８の配置は第１図とは異っている。その他、第８図においては、投写装置として、投写レンズ２４、及びスクリーン２５が配置されている。第８図では、液晶表示装置からの像が投写レンズ２４によって拡大投影され、スクリーン２５上に拡大した実像を得るという構成になっている。」（第５頁左下欄第１０行〜右下欄第１行）との記載があり、結局、光源７と、前記光源７からの光をＰ偏光成分の光とＳ偏光成分の光とに分離し、かつ、前記Ｐ偏光成分の光と前記Ｓ偏光成分の光とを異なる方向に分離する偏光素子１２と、前記偏光素子１２により分離された一方の偏光成分の光を他方の偏光成分の光の偏光方向に変換する１/２波長板１８と、前記偏光素子１２により前記一方の偏光成分の光と異なる方向に分離された他方の偏光成分の光を、前記一方の偏光成分の光と平行な方向に反射する鏡１９と、を有し、前記一方の偏光成分はＰ偏光成分であり、前記他方の偏光成分はＳ偏光成分であり、前記１/２波長板１８はλ/２板であり、かつ、前記偏光素子１２の前記Ｐ偏光成分の光を出射する光出射面に配置されてなり、偏光素子１２で分離されたＳ偏光成分の光出射面側および前記鏡１９の光出射側に偏光板２０が設けられてなり、前記Ｓ偏光成分の光と、前記鏡１９によって反射された前記Ｓ偏光成分の光とが、その偏光方向を変えることなく前記偏光板２０に入射さ��ることを特徴とする偏光光源、
光源７と、前記光源７から出射された光の偏光軸を揃える偏光素子１２と、前記偏光素子１２から出射された光を変調する１/２波長板１８と、前記１/２波長板１８により変調された光を投写する投写レンズ２４とを有する投写型表示装置であって、前記偏光素子１２は、前記光源７からの光をＰ偏光成分の光とＳ偏光成分の光とに分離し、かつ、前記Ｐ偏光成分の光と前記Ｓ偏光成分の光とを異なる方向に分離する偏光素子１２と、前記偏光素子１２により分離された一方の偏光成分の光を他方の偏光成分の光の偏光方向に変換する１/２波長板１８と、前記偏光素子１２により前記一方の偏光成分の光と異なる方向に分離された他方の偏光成分の光を、前記一方の偏光成分の光と平行な方向に反射する鏡１９と、を有し、前記一方の偏光成分はＰ偏光成分であり、前記他方の偏光成分はＳ偏光成分であり、前記１/２波長板１８はλ/２板であり、かつ、前記偏光素子１２の前記Ｐ偏光成分の光を出射する光出射面に配置されてなり、偏光素子１２で分離されたＳ偏光成分の光出射面側および前記鏡１９の光出射側に偏光板２０が設けられてなり、前記Ｓ偏光成分の光と、前記鏡１９によって反射された前記Ｓ偏光成分の光とが、その偏光方向を変えることなく前記偏光板２０に入射されることを特徴とする投写型表示装置、が記載されている。
　同じく引用した刊行物４（特開昭６３−２７１３１３号公報、以下「引用例４」という。）には「図において、レーザ等のコヒーレンスな光源１０より放射された光は、ビームエクスパンダを構成する拡散レンズ１２及び集光レンズ１４によって適当なビーム幅に広げられた後、偏光ビームスプリッタ１８に入射するようになっている。この偏光ビームスプリッタ１８としては、誘電体を利用したものや、複屈折結晶を用いたものなどがある。偏光ビームスプリッタ１８に入射した光束は、反射面中のまずＡ面１８Ａに入射し、ここで互いに垂直な振動面の関係にある透過光束（Ｐ偏光）と反射光束（Ｓ偏光）に分割される。これらのうち、Ａ面１８Ａで反射された光束（Ｓ偏光）は臨界角で他の反射面であるＢ面１８Ｂに入射し、ここで１００％反射されて二分の一波長板２０に入射するように構成されている。二分の一波長板２０に入射した光束は、ここで二分の一波長の光路差（９０°の位相差）が与えられることとなる。即ち、Ａ面１８Ａを透過した光と同じ偏光特性をもった光束（Ｐ偏光）となるようになっている。次に、偏光ビームスプリッタ１８のＡ面１８Ａを透過した光束（Ｐ偏光）と、Ａ面１８Ａ及びＢ面１８Ｂで反射されその後二分の一波長板２０を透過した光束（Ｐ偏光）の両光束は、上述したように同じ偏光特性の光束として六角プリズム２２に入射するようになっている。六角プリズム２２に入射した両光束（ほぼ平行光束）は、屈折されて近傍で互いに光軸が平行な状態となるように構成されている。この六角プリズムは、入射した２つの光束を所定の間隔に近ずけて射出するもので、本実施例では入射する光束と射出する光束とは左右反転している。次に、六角プリズム２２を透過した光は、一つの光束としてレンズ２４及びレンズ２６を透過し、入射時と同じ光束幅に調整されて射出されるようになっている。」（第２頁左下欄第１行〜右下欄第１７行）との記載がある。
　同じく引用した刊行物５（特開昭６３−１８５１８８号公報、以下「引用例５」という。）には、「第１図において、２枚の偏光フィルタ１１、１２はそれぞれ３原色分光前の位置と合成後の位置に挿入され、ダイクロイックプリズム４に取り付けられた赤、青、緑の各ＬＣＤ１４、１５、１６には第３図に示したようなモジュール型ではなく、偏光フィルタを附随しない単体のＬＣＤ１３が使用されている。偏光フィルタ１１に例えば垂直偏光を通すもの、また偏光フィルタ１２に水平偏光を通すものが用いるとすれば、光源１からの白色光はコンデンサレンズ２によって光路を整えた後に、偏光フィルタ１１で垂直偏光成分のみが通過し、その通過光は分光用ダイクロイックミラー３によって赤、緑、青の３原色に分離される。分離された３つの色成分のうち、赤の色成分Ｒは全反射ミラー９ａ、９ｂで反射され、緑の色成分Ｇはそのまま直進し、青の色成分Ｂは全反射ミラー１０ａ、１０ｂで反射されて、それぞれのＬＣＤ１５、１４、１６に入射する。各ＬＣＤ１４、１５、１６では、赤、緑、青の各色成分Ｒ、Ｇ、Ｂの映像信号により偏光軸を旋光させて変調され、変調された各色成分の光はダイクロイックプリズム４により合成され偏光フィルタ１２に入射する。偏光フィルタ１２では水平偏光成分だけが通されるので、各ＬＣＤ１４、１５、１６によって変調を受けた分だけが通過して映像光となり、投射レンズ５によってスクリーンに投影される。」（第２頁右下欄第６行〜第３頁左上欄第１２行）との記載がある。
　同じく引用した刊行物６（特開昭６３−１９７９１３号公報、以下「引用例６」という。）には、「（問題点を解決するための手段）本発明の偏光変換素子は、光源からの不定偏光光を主にＰ−偏光成分の直線偏光光とＳ−偏光成分の直線偏光光とに空間的分離を行うための偏光ビームスプリッタと、前記Ｐ−偏光成分の直線偏光光と前記Ｓ−偏光成分の直線偏光光のどちらか一方の直線偏光光の偏光方向と、もう一方の直線偏光光の偏光方向とが等しくなるように、２つの前記直線偏光光を合成するための、反射法線方向が直交するように配置した２枚の全反射ミラーを含む少なくとも２枚以上の全反射ミラーとから構成されることを特徴とする。」（第２頁左上欄第１１行〜右上欄第２行）及び「さらにシート・ポラライザ２２を光学系に挿入することにより、さらに偏光度の良い直線偏光光が得られた。」（第３頁左下欄第７〜９行）との記載がある。
　同じく引用した刊行物７（米国特許第４７９８４４８号明細書及び図面、以下「引用例７」という。）には、「第１図に示された偏光光源（光源１９、ミラー３７等で構成）に代えて用いられる第３図に示された偏光光源にいて、λ/２板が該λ/２板の一方の偏光成分の光を出射する該λ/２板を支持する透明光学系の光出射面に配置された構成が示されている」旨の記載がある。
  同じく引用した（特願平１−２５３３２８号＜特開平３−１１４０２６号公報＞の願書に最初に添付した明細書又は図面、以下「先願明細書Ａ」という。）には、「第１図において、ランプ８より偏光ビームスプリッタ４に向かって射出した光と凹面反射ミラー９により偏光ビームスプリッタ４に向かって反射された自然光は、偏光ビームスプリッタ４により平行成分と垂直成分に分離される。分離された垂直成分は偏光ビームスプリッタ４を透過し平行成分は全反射ミラー６により液晶セル１に向かって反射される。液晶セル１に向かって射出された垂直成分あるいは平行成分のどちらかの成分を同一方向の光成分に統一するために、垂直成分あるは平行成分を１/４波長板５に入射させ、円偏光光に変換し、かつもう１枚の１/４波長板により入射した光成分とは位相が９０°ずれた成分、すなわち、垂直成分は平行成分に、平行成分は垂直成分に変換されて射出される。」（第２頁右下欄第５〜１９行）、「液晶セル１に向かって射出された垂直成分あるいは平行成分に統一された光成分は集光レンズ７を透過し、液晶セル１に入射する。入射した光成分は液晶セル１の有する旋光性により、偏光方向が光の伝播にしたがって回転し、入射した光成分と９０°位相のずれた光成分として射出される。射出された光成分を透過するように設けられた後方偏光板２−Ｂを透過した光成分は投射レンズ１１によりスクリーン１０に投射される。第２図において、第１図に構成されるランプ８と偏光ビームスプリッタ４との間に自然光を色分解するダイクロイックミラー１３を配置し、青、緑、赤に色分解し入射光偏光ブロック１２を透過させ、青、緑、赤の各々を投射レンズ１１によりスクリーン１０に投射する。」（第３図左上欄第１〜１５行）、及び「以上のように本発明によれば、映像信号を透過型液晶板を用いて光変調し、スクリーンに投射するビデオプロジェクターにおいて、入射光を垂直成分、平行成分に分離する偏光ビームスプリッタと、分離した平行成分を液晶セルに向かって反射させる全反射ミラーと、分離された光成分のいずれかの偏光成分を変換して出力させる手段を備えたことにより、入射する光を減衰させることなくスクリーンに投射することのできるビデオプロジェクターを得ることができる。」（第３頁左上欄第２０行〜右上欄第９行）との記載がある。
  同じく引用した（特願平１−２５３３２９号＜特開平３−１１４０２７号公報＞の願書に最初に添付した明細書又は図面、以下「先願明細書Ｂ」という。）には、「第１図において、ランプ７より偏光ビームスプリッタ４に向かって射出した光と凹面反射ミラー１１により反射された自然光は、偏光ビームスプリッタ４により第１の平行成分と垂直成分に分離される。分離された垂直成分は偏光ビームスプリッタ４を透過し１/４波長板５により円偏光光に変換され第１の全反射ミラー６により反射される。反射された円偏光光は１/４波長板５により直線偏光光に変換され第２の平行成分として偏光ビームスプリッタ４に入射する。第１、第２の平行成分は偏光ビームスプリッタ４の貼り合わせ面で反射され、第２の全反射ミラー１０により液晶セル１に向かって反射する。そして集光レンズ８を透過し、液晶セル１に入射する。入射した第１、第２の平行成分は液晶セル１の有する施光性により、偏光方向が光の伝播にしたがって回転し、第１、第２の垂直成分に変換される。垂直線分を透過するように設けられた後方偏光板２−Ｂを透過した第１、第２の垂直成分は、投射レンズ９によりスクリーン１４に拡大投射される。第２図において、第１図に構成されるランプ７と偏光ビームスプリッタ４との間に自然光を色分解するダイクロイックミラー１３を配置し、青、緑、赤に色分解し、入射光偏光ブロック１２を透過させ、青、緑、赤の各々を投射レンズ９によりスクリーン１４に投射するようにしてもよい。」（第２頁右下欄第２０行〜第３頁右上欄第５行）及び「以上のように本発明によれば、映像信号を透過型液晶板を用いて光変調しスクリーンに投射するプロジェクターにおいて、入射光を垂直成分、第１の平行成分に分離する偏光ビームスプリッタと、分離した垂直成分を第２の平行成分として上記偏光ビームスプリッタより出力させる手段と、偏光ビームスプリッタより得られる第１、第２の平行成分を液晶セルに向かって反射させる全反射ミラーとを備えたことにより入射する光を減衰することなく投射することのできるプロジェクターを得ることができる。」（第３頁右上欄第１０〜２０行）との記載がある。
＜第２９条第２項について＞
〔請求項１に係る発明に対して〕
　請求項１に係る発明と刊行物１記載の発明とを対比すると、請求項１に係る発明の「光源」、「Ｐ偏光成分」、「Ｓ偏光成分」、「偏光分離手段」、「偏光方向変換手段」、「反射手段」は、夫々刊行物１記載の発明の「光源１」、「Ｘ軸」、「Ｙ軸」、「偏光ビームスプリッタ７」、「偏光軸変換装置８」、「ミラー５５」に相当するから、両者は、光源と、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分である偏光光源で一致し、
Ａ偏光方向変換手段が、請求項１に係る発明は、λ/２板であるのに対して、刊行物１に記載の発明は、ＴＦＴ液晶５６である点、
Ｂ偏光方向変換手段の配置個所が、請求項１に係る発明は、前記偏光分離手段の前記Ｐ偏光成分の光を出射する光出射面であるのに対して、刊行物１に記載の発明は、偏光ビームスプリッタ７のＹ軸の光をミラー５５で反射した光の出射面である点、
Ｃ請求項１に係る発明は、前記λ/２板の光出射面側および前記反射手段の光出射側に偏光板が設けられるのに対して、刊行物１記載の発明は、そのような記載が無い点、
Ｄ請求項１に係る発明は、前記λ/２板によって前記Ｓ偏光成分の光の偏光方向に変換された光と、前記反射手段によって反射された前記Ｓ偏光成分の光とが、その偏光方向を変えることなく前記偏光板に入射されるのに対して、刊行物１記載の発明は、そのような記載が無い点で相違する。
　そこで、先ず相違点Ａについて検討すると、λ/２位相板（刊行物２）、１/２波長板（刊行物３）、二分の一波長板２０（刊行物４）として各刊行物に記載されている。
　次に、相違点Ｂについて検討すると、刊行物３には、偏光素子１２のＰ波１４の出射面に１/２波長板１８が配置されることが開示されている。
　さらに、相違点Ｃについて検討すると、刊行物２、４〜７には開示されておらず、刊行物３には、１/２波長板１８通った光が鏡１９で反射され偏光板２０に至ることが開示されているが、これが、請求項１に係る発明の、「前記反射手段の光出射側に偏光板が設けられる」と言えても、「前記λ/２板の光出射面側に偏光板が設けられる」とは言えない。
  最後に、相違点Ｄについて検討すると、刊行物２、４〜７には開示されておらず、刊行物３には、偏光素子１２によって分離されたＳ波と、偏光素子１２によって分離されたＰ波を１/２波長板１８によってＳ波にし、これを鏡１９で反射したＳ波とを偏光板２０に入射することが開示されているが、これが、相違点Ｄであるとは言えない。
　してみると、上記引用例１〜７には本件請求項１に係る発明の構成の一部である上記相違点Ｃ、Ｄが記載されていない。
　本件請求項１に係る発明は、このＣ、Ｄの構成を有することによって、明細書記載の作用効果を奏するものであるから、訂正後の本件請求項１に係る発明が、上記引用例１〜７のいずれかであるとも、また、上記引用例１〜７に基づいて当業者が容易に推考できたものとも言えない。
〔請求項３に係る発明に対して〕
　請求項３に係る発明と刊行物１記載の発明とを対比すると、請求項３に係る発明の「光源」、「投写手段」、「Ｐ偏光成分」、「Ｓ偏光成分」、「偏光分離手段」、「偏光方向変換手段」、「反射手段」は、夫々刊行物１記載の発明の「光源１」、「ズームレンズ２０」、「Ｘ軸」、「Ｙ軸」、「偏光ビームスプリッタ７」、「偏光軸変換装置８」、「ミラー５５」に相当するから、両者は、光源と、前記光源から出射された光の偏光軸を揃える偏光発生手段と、前記偏光発生手段から出射された光を変調する変調手段と、前記変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記一方の偏光成分はＰ偏光成分であり、前記他方の偏光成分はＳ偏光成分である投写型表示装置で一致し、
Ｅ請求項３に係る発明は、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有するのに対して、刊行物１記載の発明は、そのような記載が無い点、
Ａ偏光方向変換手段が、請求項３に係る発明は、λ/２板であるのに対して、刊行物１に記載の発明は、ＴＦＴ液晶５６である点、
Ｂ偏光方向変換手段の配置個所が、請求項３に係る発明は、前記偏光分離手段の前記Ｐ偏光成分の光を出射する光出射面であるのに対して、刊行物１に記載の発明は、偏光ビームスプリッタ７のＹ軸の光をミラー５５で反射した光の出射面である点、
Ｃ請求項３に係る発明は、前記λ/２板の光出射面側および前記反射手段の光出射側に偏光板が設けられるのに対して、刊行物１記載の発明は、そのような記載が無い点、
Ｄ請求項３に係る発明は、前記λ/２板によって前記Ｓ偏光成分の光の偏光方向に変換された光と、前記反射手段によって反射された前記Ｓ偏光成分の光とが、その偏光方向を変えることなく前記偏光板に入射されるのに対して、刊行物１記載の発明は、そのような記載が無い点で相違する。
　そこで、先ず相違点Ａについて検討すると、λ/２位相板（刊行物２）、１/２波長板（刊行物３）、二分の一波長板２０（刊行物４）として各刊行物に記載されている。
　次に、相違点Ｂについて検討すると、刊行物３には、偏光素子１２のＰ波１４の出射面に１/２波長板１８が配置されることが開示されている。
　さらに、相違点Ｃについて検討すると、刊行物２、４〜７には開示されておらず、刊行物３には、１/２波長板１８通った光が鏡１９で反射され偏光板２０に至ることが開示されているが、これが、請求項３に係る発明の、「前記反射手段の光出射側に偏光板が設けられる」と言えても、「前記λ/２板の光出射面側に偏光板が設けられる」とは言えない。
  さらに、相違点Ｄについて検討すると、刊行物２、４〜７には開示されておらず、刊行物３には、偏光素子１２によって分離されたＳ波と、偏光素子１２によって分離されたＰ波を１/２波長板１８によってＳ波にし、これを鏡１９で反射したＳ波とを偏光板２０に入射することが開示されているが、これが、相違点Ｄであるとは言えない。
　最後に、相違点Ｅについて検討すると、刊行物２〜７のいずれにも開示されていない。
　してみると、上記引用例１〜７には本件請求項３に係る発明の構成の一部である上記相違点Ｃ、Ｄ、Ｅが記載されていない。
　本件請求項３に係る発明は、このＣ、Ｄ、Ｅの構成を有することによって、明細書記載の作用効果を奏するものであるから、訂正後の本件請求項３に係る発明が、上記引用例１〜７のいずれかであるとも、また、上記引用例１〜７に基づいて当業者が容易に推考できたものとも言えない。
〔請求項５に係る発明に対して〕
　請求項５に係る発明と刊行物１記載の発明とを対比すると、請求項５に係る発明の「光源」、「ダイクロイックミラー」、「変調手段」、「投写手段」、「Ｐ偏光成分」、「Ｓ偏光成分」、「偏光分離手段」、「偏光方向変換手段」、「反射手段」は、夫々刊行物１記載の発明の「光源１」、「ダイクロイックミラー９、１３」、「液晶１１、１５、１８」、「ズームレンズ２０」、「Ｘ軸」、「Ｙ軸」、「偏光ビームスプリッタ７」、「偏光軸変換装置８」、「ミラー５５」に相当するから、両者は、光源と、前記光源から出射された光の偏光軸を揃える偏光発生手段と、前記偏光発生手段から出射された光を複数の色光に分離するダイクロイックミラーと、前記ダイクロイックミラーによって分離された色光をそれぞれ変調する複数の変調手段と、前記複数の変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記一方の偏光成分はＰ偏光成分であり、前記他方の偏光成分はＳ偏光成分である投写型表示装置で一致し、
Ｅ請求項５に係る発明は、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有するのに対して、刊行物１記載の発明は、そのような記載が無い点、
Ａ偏光方向変換手段が、請求項５に係る発明は、λ/２板であるのに対して、刊行物１に記載の発明は、ＴＦＴ液晶５６である点、
Ｂ偏光方向変換手段の配置個所が、請求項５に係る発明は、前記偏光分離手段の前記Ｐ偏光成分の光を出射する光出射面であるのに対して、刊行物１に記載の発明は、偏光ビームスプリッタ７のＹ軸の光をミラー５５で反射した光の出射面である点、
Ｃ請求項５に係る発明は、前記λ/２板の光出射面側および前記反射手段の光出射側に偏光板が設けられるのに対して、刊行物１記載の発明は、そのような記載が無い点、
Ｄ請求項５に係る発明は、前記λ/２板によって前記Ｓ偏光成分の光の偏光方向に変換された光と、前記反射手段によって反射された前記Ｓ偏光成分の光とが、その偏光方向を変えることなく前記偏光板に入射されるのに対して、刊行物１記載の発明は、そのような記載が無い点で相違する。
　そこで、先ず相違点Ａについて検討すると、λ/２位相板（刊行物２）、１/２波長板（刊行物３）、二分の一波長板２０（刊行物４）として各刊行物に記載されている。
　次に、相違点Ｂについて検討すると、刊行物３には、偏光素子１２のＰ波１４の出射面に１/２波長板１８が配置されることが開示されている。
　さらに、相違点Ｃについて検討すると、刊行物２、４〜７には開示されておらず、刊行物３には、１/２波長板１８通った光が鏡１９で反射され偏光板２０に至ることが開示されているが、これが、請求項５に係る発明の、「前記反射手段の光出射側に偏光板が設けられる」と言えても、「前記λ/２板の光出射面側に偏光板が設けられる」とは言えない。
  さらに、相違点Ｄについて検討すると、刊行物２、４〜７には開示されておらず、刊行物３には、偏光素子１２によって分離されたＳ波と、偏光素子１２によって分離されたＰ波を１/２波長板１８によってＳ波にし、これを鏡１９で反射したＳ波とを偏光板２０に入射することが開示されているが、これが、相違点Ｄであるとは言えない。
　最後に、相違点Ｅについて検討すると、刊行物２〜７のいずれにも開示されていない。
　してみると、上記引用例１〜７には本件請求項５に係る発明の構成の一部である上記相違点Ｃ、Ｄ、Ｅが記載されていない。
　本件請求項５に係る発明は、このＣ、Ｄ、Ｅの構成を有することによって、明細書記載の作用効果を奏するものであるから、訂正後の本件請求項３に係る発明が、上記引用例１〜７のいずれかであるとも、また、上記引用例１〜７に基づいて当業者が容易に推考できたものとも言えない。
〔請求項２に係る発明に対して〕
　請求項２に係る発明は、請求項１に係る発明の構成の一部をさらに限定したものであるから、本件請求項１に係る発明と同様の判断である。
〔請求項４に係る発明に対して〕
　請求項４に係る発明は、請求項３に係る発明の構成の一部をさらに限定したものであるから、本件請求項３に係る発明と同様の判断である。
＜第２９条の２について＞
〔請求項１に係る発明に対して〕
　請求項１に係る発明と先願明細書Ａ記載の発明とを対比すると、請求項１に係る発明の「光源」、「Ｐ偏光成分」、「Ｓ偏光成分」、「偏光分離手段」、「反射手段」、「偏光板」は、夫々先願明細書Ａ記載の発明の「ランプ８」、「垂直成分」、「水平成分」、「偏光ビームスプリッタ４」、「全反射ミラー６」、「後方偏光板２−Ｂ」に相当するから、両者は、光源と、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段は、前記偏光分離手段の前記Ｐ偏光成分の光を出射する光出射面に配置されてなり、前記偏光方向変換手段の光出射面側および前記反射手段の光出射側に偏光板が設けられてなり、前記偏光方向変換手段によって前記Ｓ偏光成分の光の偏光方向に変換された光と、前記反射手段によって反射された前記Ｓ偏光成分の光とが、その偏光方向を変えることなく前記偏光板に入射されることを特徴とする偏光光源で一致し、
Ｆ偏光方向変換手段が、請求項１に係る発明は、λ/２板であるのに対して、先願明細書Ａに記載の発明は、１/４波長板である点で相違する。
　そして、この相違点Ｆは、自明であるとも、当該技術分野における技術常識であるとも認められないから、請求項１に係る発明が、先願明細書Ａに記載の発明であるとは言えない。
　請求項１に係る発明と先願明細書Ｂ記載の発明とを対比すると、請求項１に係る発明の「光源」、「Ｐ偏光成分」、「Ｓ偏光成分」、「偏光分離手段」、「反射手段」、「偏光板」は、夫々先願明細書Ｂ記載の発明の「ランプ７」、「垂直成分」、「水平成分」、「偏光ビームスプリッタ４」、「第２全反射ミラー１０」、「後方偏光板２−Ｂ」に相当するから、両者は、光源と、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段は、前記偏光分離手段の前記Ｐ偏光成分の光を出射する光出射面に配置されてなり、前記反射手段の光出射側に偏光板が設けられてなり、前記偏光方向変換手段によって前記Ｓ偏光成分の光の偏光方向に変換された光と、前記反射手段によって反射された前記Ｓ偏光成分の光とが、その偏光方向を変えることなく前記偏光板に入射されることを特徴とする偏光光源で一致し、
Ｆ偏光方向変換手段が、請求項１に係る発明は、λ/２板であるのに対して、先願明細書Ｂに記載の発明は、１/４波長板である点、
Ｇ請求項１に係る発明は、前記λ/２板の光出射面側に偏光板が設けられるのに対して、先願明細書Ｂに記載の発明は、前記λ/２板の光出射面と反対側に偏光板が設けられる点で相違する。
　そして、この相違点Ｆ、Ｇは、自明であるとも、当該技術分野における技術常識であるとも認められないから、請求項１に係る発明が、先願明細書Ｂに記載の発明であるとは言えない。
〔請求項３に係る発明に対して〕
　請求項３に係る発明と先願明細書Ａ記載の発明とを対比すると、請求項３に係る発明の「光源」、「投写手段」、「Ｐ偏光成分」、「Ｓ偏光成分」、「偏光分離手段」、「反射手段」は、夫々先願明細書Ａ記載の発明の「ランプ８」、「投射レンズ１１」、「垂直成分」、「水平成分」、「偏光ビームスプリッタ４」、「全反射ミラー６」に相当するから、両者は、光源と、前記光源から出射された光の偏光軸を揃える偏光発生手段と、前記偏光発生手段から出射された光を変調する変調手段と、前記変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段は、前記偏光分離手段の前記Ｐ偏光成分の光を出射する光出射面に配置されてなり、前記偏光方向変換手段の光出射面側および前記反射手段の光出射側に偏光板が設けられてなり、前記偏光方向変換手段によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置で一致し、
Ｆ偏光方向変換手段が、請求項３に係る発明は、λ/２板であるのに対して、先願明細書Ａに記載の発明は、１/４波長板である点で相違する。
　そして、この相違点Ｆは、自明であるとも、当該技術分野における技術常識であるとも認められないから、請求項３に係る発明が、先願明細書Ａに記載の発明であるとは言えない。
　請求項３に係る発明と先願明細書Ｂ記載の発明とを対比すると、請求項３に係る発明の「光源」、「投写手段」、「Ｐ偏光成分」、「Ｓ偏光成分」、「偏光分離手段」、「反射手段」は、夫々先願明細書Ｂ記載の発明の「ランプ７」、「投射レンズ９」、「垂直成分」、「水平成分」、「偏光ビームスプリッタ４」、「第２全反射ミラー１０」に相当するから、両者は、光源と、前記光源から出射された光の偏光軸を揃える偏光発生手段と、前記偏光発生手段から出射された光を変調する変調手段と、前記変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段は、前記偏光分離手段の前記Ｐ偏光成分の光を出射する光出射面に配置されてなり、前記偏光方向変換手段の光出射面側および前記反射手段の光出射側に偏光板が設けられてなり、前記偏光方向変換手段によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置で一致し、
Ｆ偏光方向変換手段が、請求項３に係る発明は、λ/２板であるのに対して、先願明細書Ｂに記載の発明は、１/４波長板である点、
Ｇ請求項３に係る発明は、前記λ/２板の光出射面側に偏光板が設けられるのに対して、先願明細書Ｂに記載の発明は、前記λ/２板の光出射面と反対側に偏光板が設けられる点で相違する。
　そして、この相違点Ｆ、Ｇは、自明であるとも、当該技術分野における技術常識であるとも認められないから、請求項３に係る発明が、先願明細書Ｂに記載の発明であるとは言えない。
〔請求項５に係る発明に対して〕
　請求項５に係る発明と先願明細書Ａ記載の発明とを対比すると、請求項５に係る発明の「光源」、「ダイクロイックミラー」、「投写手段」、「Ｐ偏光成分」、「Ｓ偏光成分」、「偏光分離手段」、「反射手段」は、夫々先願明細書Ａ記載の発明の「ランプ８」、「ダイクロイックミラー１３」、「投射レンズ１１」、「垂直成分」、「水平成分」、「偏光ビームスプリッタ４」、「全反射ミラー６」に相当するから、両者は、光源と、前記光源から出射された光の偏光軸を揃える偏光発生手段と、前記偏光発生手段から出射された光を複数の色光に分離するダイクロイックミラーと、前記ダイクロイックミラーによって分離された色光をそれぞれ変調する複数の変調手段と、前記複数の変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段は、前記偏光分離手段の前記Ｐ偏光成分の光を出射する光出射面に配置されてなり、前記偏光方向変換手段の光出射面側および前記反射手段の光出射側に偏光板が設けられてなり、前記偏光方向変換手段によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置で一致し、
Ｆ偏光方向変換手段が、請求項５に係る発明は、λ/２板であるのに対して、先願明細書Ａに記載の発明は、１/４波長板である点で相違する。
　そして、この相違点Ｆは、自明であるとも、当該技術分野における技術常識であるとも認められないから、請求項５に係る発明が、先願明細書Ａに記載の発明であるとは言えない。
　請求項５に係る発明と先願明細書Ｂ記載の発明とを対比すると、請求項５に係る発明の「光源」、「ダイクロイックミラー」、「投写手段」、「Ｐ偏光成分」、「Ｓ偏光成分」、「偏光分離手段」、「反射手段」は、夫々先願明細書Ｂ記載の発明の「ランプ７」、「ダイクロイックミラー１３」、「投射レンズ９」、「垂直成分」、「水平成分」、「偏光ビームスプリッタ４」、「第２全反射ミラー１０」に相当するから、両者は、光源と、前記光源から出射された光の偏光軸を揃える偏光発生手段と、前記偏光発生手段から出射された光を変調する変調手段と、前記変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段は、前記偏光分離手段の前記Ｐ偏光成分の光を出射する光出射面に配置されてなり、前記偏光方向変換手段の光出射面側および前記反射手段の光出射側に偏光板が設けられてなり、前記偏光方向変換手段によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置で一致し、
Ｆ偏光方向変換手段が、請求項５に係る発明は、λ/２板であるのに対して、先願明細書Ｂに記載の発明は、１/４波長板である点、
Ｇ請求項５に係る発明は、前記λ/２板の光出射面側に偏光板が設けられるのに対して、先願明細書Ｂに記載の発明は、前記λ/２板の光出射面と反対側に偏光板が設けられる点で相違する。
　そして、この相違点Ｆ、Ｇは、自明であるとも、当該技術分野における技術常識であるとも認められないから、請求項５に係る発明が、先願明細書Ｂに記載の発明であるとは言えない。
〔請求項２に係る発明に対して〕
　請求項２に係る発明は、請求項１に係る発明の構成の一部をさらに限定したものであるから、本件請求項１に係る発明と同様の判断である。
〔請求項４に係る発明に対して〕
　請求項４に係る発明は、請求項３に係る発明の構成の一部をさらに限定したものであるから、本件請求項３に係る発明と同様の判断である。
オ．むすび
　以上のとおりであるから、上記訂正請求は、特許法第１２０条の４第２項及び第３項で準用する第１２６条第２−４項の規定に適合するので、当該訂正を認める。
（３）特許異議の申立てについての判断
ア．申立ての理由の概要
　申立人伊藤　信和は、証拠として甲第１号証（特開昭６３−１２１８２１号公報、上記引用例３）、甲第２号証（特開昭６１−９０５８４号公報、上記引用例２）、甲第３号証（特開昭６３−２７１３１３号公報、上記引用例４）、甲第４号証（特開昭６３−１８５１８８号公報、上記引用例５）を提出し、訂正前請求項１〜６に係る発明は、特許法第２９条第２項の規定に違反してなされたものであるから、特許を取り消すべき旨主張している。
  また、申立人鈴木　俊孝は、証拠として甲第１号証（特開昭６１−１０２８９３号公報、上記引用例１）、甲第２号証（特開昭６１−９０５８４号公報、上記引用例２）、甲第３号証（特開昭６３−１２１８２１号公報、上記引用例３）、甲第４号証（特開昭６３−１９７９１３号公報、上記引用例６）、甲第５号証（米国特許第４７９８４４８号明細書及び図面、上記引用例７）を提出し、訂正前請求項１〜６に係る発明は、甲第１号証又は甲第２号証と同一であり、特許法第２９条第１項第３号の規定に違反してなされたものであるから、特許を取り消すべき旨主張し、また、甲第１〜５号証に基づいて当業者が容易に発明をすることができたものであり、特許法第２９条第２項の規定に違反してなされたものであるから、特許を取り消すべき旨主張している。
  また、申立人小栗　克之は、証拠として甲第１号証（特開平３−１１４０２６号公報、上記先願明細書Ａ）、甲第２号証（特開平３−１１４０２７号公報、上記先願明細書Ｂ）を提出し、訂正前請求項１〜６に係る発明は、特許法第２９条の２の規定に違反してなされたものであるから、特許を取り消すべき旨主張している。
イ．判断
〔本件請求項１〜５に係る発明〕
  申立人伊藤　信和、鈴木　俊孝及び小栗　克之の主張については、上記（２）エ．で示したとおりである。
〔本件請求項６に係る発明〕
  本件請求項６に係る発明は、本件請求項５に係る発明の構成の一部をさらに限定したものであるから、本件請求項５に係る発明と同様の判断である。
ウ．むすび
　以上のとおりであるから、特許異議申立の理由及び証拠によっては、本件請求項１〜６に係る発明の特許を取り消すことはできない。
　また、他に本件請求項１〜６に係る発明の特許を取り消すべき理由を発見しない。
　よって、結論のとおり決定する。
【異議決定日】
平成１２年１１月３０日（２０００．１１．３０）
【訂正の要旨】
　　　訂正の要旨
特許請求の範囲の減縮を目的として、下記（１）〜（５）のように特許請求の範囲を訂正する。また、特許請求の範囲の訂正に応じて、発明の詳細な説明についても、適合性を持たせるために下記（６）、（７）のように訂正する。
（１）特許請求の範囲第１項を次のとおり訂正する。
「（１）光源と、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ／２板であり、かつ、前記偏光分離手段の前記Ｐ偏光成分の光を出射する光出射面に配置されてなり、前記λ／２板の光出射面側および前記反射手段の光出射側に偏光板が設けられてなり、前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする偏光光源。」
（２）特許請求の範囲第２項を次のとおり訂正する。
「（２）請求項１記載の偏光光源において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有することを特徴とする偏光光源。」
（３）特許請求の範囲第３項を次のとおり訂正する。
「（３）光源と、前記光源から出射された光の偏光軸を揃える偏光発生手段と、前記偏光発生手段から出射された光を変調する変調手段と、前記変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ／２板であり、かつ、前記偏光分離手段の前記Ｐ偏光成分の光を出射する光出射面に配置されてなり、前記λ／２板の光出射面および前記反射手段の光出射側に偏光板が設けられてなり、前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置。」
（４）特許請求の範囲第４項を次のとおり訂正する。
「（４）請求項３記載の投写型表示装置において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有し、前記集光手段によって集光された光が前記変調手段に入射されてなることを特徴とする投写型表示装置。」
（５）特許請求の範囲第５項を次のとおり訂正する。
「（５）光源と、前記光源から出射された光の偏光軸を揃える偏光発生手段と、前記偏光発生手段から出射された光を複数の色光に分離するダイクロイックミラーと、前記ダイクロイックミラーによって分離された色光をそれぞれ変調する複数の変調手段と、前記複数の変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ／２板であり、かつ、前記偏光分離手段の前記Ｐ偏光成分の光を出射する光出射面に配置されてなり、前記λ／２板の光出射面側および前記反射手段の光出射側に偏光板が設けられてなり、前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置。」
（６）平成１０年９月２８日付けの手続補正書（第３手続補正書）により補正された明細書第６頁第２行〜第７頁第１１行中の、「を有し、」（第３手続補正書第１頁第１１行）の次に「前記一方の偏光成分はＰ偏光成分であり、前記他方の偏光成分はＳ偏光成分であり、」を挿入し、「前記偏光方向変換手段は、前記偏光分離手段の前記一方の偏光成分の光」（第３手続補正書第１頁第１１〜１２行）を「前記偏光方向変換手段はλ／２板であり、かつ、前記偏光分離手段の前記Ｐ偏光成分の光」と訂正し、「前記偏光方向変換手段の」（第３手続補正書第１頁第１３行）を「前記λ／２板の」と訂正し、「前記偏光方向変換手段によって前記他方の偏光成分の光の偏光方向に変換された光と、前記反射手段によって反射された前記他方の偏光成分の光」（第３手続補正書第１頁第１４〜１６行）を「前記λ／２板によって前記Ｓ偏光成分の光の偏光方向に変換された光と、前記反射手段によって反射された前記Ｓ偏光成分の光」と訂正し、「他方の偏光成分の光の偏光方向に変換された光」（第３手続補正書第１頁第１９行）を「Ｓ偏光成分の光に変換された光」と訂正し、「反射された光」（第３手続補正書第１頁第２０行）を「反射されたＳ偏光成分の光」と訂正し、「を有し、」（第３手続補正書第２頁第４行）の次に「前記一方の偏光成分はＰ偏光成分であり、前記他方の偏光成分はＳ偏光成分であり、」を挿入し、「前記偏光方向変換手段は、前記偏光分離手段の前記一方の偏光成分の光」（第３手続補正書第２頁第４〜５行）を「前記偏光方向変換手段はλ／２板であり、かつ、前記偏光分離手段の前記Ｐ偏光成分の光」と訂正し、「前記偏光方向変換手段の」（第３手続補正書第２頁第６行）を「前記λ／２板の」と訂正し、「前記偏光方向変換手段によって前記他方の偏光成分の光の偏光方向に変換された光と、前記反射手段によって反射された前記他方の偏光成分の光」（第３手続補正書第２頁第７〜９行）を「前記λ／２板によって前記Ｓ偏光成分の光の偏光方向に変換された光と、前記反射手段によって反射された前記Ｓ偏光成分の光」と訂正し、「他方の偏光成分の光の偏光方向に変換された光」（第３手続補正書第２頁第１２〜１３行）を「Ｓ偏光成分の光に変換された光」と訂正し、「反射された光」（第３手続補正書第２頁第１３〜１４行）を「反射されたＳ偏光成分の光」と訂正し、「を有し、」（第３手続補正書第２頁第２７行）の次に「前記一方の偏光成分はＰ偏光成分であり、前記他方の偏光成分はＳ偏光成分であり、」を挿入し、「前記偏光方向変換手段は、前記偏光分離手段の前記一方の偏光成分の光」（第３手続補正書第２頁第２７〜２８行）を「前記偏光方向変換手段はλ／２板であり、かつ、前記偏光分離手段の前記Ｐ偏光成分の光」と訂正し、「前記偏光方向変換手段の」（第３手続補正書第２頁第２８行〜第３頁第１行）を「前記λ／２板の」と訂正し、「前記偏光方向変換手段によって前記他方の偏光成分の光の偏光方向に変換された光と、前記反射手段によって反射された前記他方の偏光成分の光」（第３手続補正書第３頁第２〜４行）を「前記λ／２板によって前記Ｓ偏光成分の光の偏光方向に変換された光と、前記反射手段によって反射された前記Ｓ偏光成分の光」と訂正する。
（７）平成８年１０月７日付けの手続補正書（第１手続補正書）により補正された明細書第７頁第１３〜１５行中の、「上記のように構成された偏光光源及び投写型表示装置において、偏光分離手段として、プリズムを用いる場合、」を「上記のように構成された偏光光源及び投写型表示装置において、光源からの光をＰ偏光成分の光とＳ偏光成分の光とに分離し、かつ、前記Ｐ偏光成分の光と前記Ｓ偏光成分の光とを異なる方向に分離する偏光分離手段として、プリズムを用いる場合は、」と訂正し、明細書第８頁第５〜９行中の、「分離された両偏光成分は反射鏡により幾何光学的に偏光方向を同一にされ、あるいは、波長板であるλ／４板またはλ／２板を一方の偏光成分が透過することによって偏光方向を他方と同一にされて、両偏光成分共所望の偏光成分として」を「分離されたＳ偏光成分の光は反射鏡によりＰ偏光成分の光と平行な方向に反射され、分離されたＰ偏光成分の光はλ／２板によりＳ偏光成分の光に変換されて、分離されたＳ偏光成分の光と偏光方向を同一にされて、両偏光成分共、Ｓ偏光成分として」と訂正する。
（５４）【発明の名称】
　偏光光源及び投写型表示装置
（５７）【特許請求の範囲】
（１）光源と、
　前記光源からの光をＰ偏光成分の光とＳ偏光成分の光とに分離し、かつ、前記Ｐ偏光成分の光と前記Ｓ偏光成分の光とを異なる方向に分離する偏光分離手段と、
　前記偏光分離手段により分離された一方の偏光成分の光を他方の偏光成分の光の偏光方向に変換する偏光方向変換手段と、
　前記偏光分離手段により前記一方の偏光成分の光と異なる方向に分離された他方の偏光成分の光を、前記一方の偏光成分の光と平行な方向に反射する反射手段と、を有し、
　前記一方の偏光成分はＰ偏光成分であり、前記他方の偏光成分はＳ偏光成分であり、
　前記偏光方向変換手段はλ／２板であり、かつ、前記偏光分離手段の前記Ｐ偏光成分の光を出射する光出射面に配置されてなり、
　前記λ／２板の光出射面側および前記反射手段の光出射側に偏光板が設けられてなり、
　前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする偏光光源。
（２）請求項１記載の偏光光源において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有することを特徴とする偏光光源。
（３）光源と、
　前記光源から出射された光の偏光軸を揃える偏光発生手段と、
　前記偏光発生手段から出射された光を変調する変調手段と、
　前記変調手段により変調された光を投写する投写手段とを有する投写型表示装置であって、
　前記偏光発生手段は、
　前記光源からの光をＰ偏光成分の光とＳ偏光成分の光とに分離し、かつ、前記Ｐ偏光成分の光と前記Ｓ偏光成分の光とを異なる方向に分離する偏光分離手段と、
　前記偏光分離手段により分離された一方の偏光成分の光を他方の偏光成分の光の偏光方向に変換する偏光方向変換手段と、
　前記偏光分離手段により前記一方の偏光成分の光と異なる方向に分離された他方の偏光成分の光を、前記一方の偏光成分の光と平行な方向に反射する反射手段と、を有し、
　前記一方の偏光成分はＰ偏光成分であり、前記他方の偏光成分はＳ偏光成分であり、
　前記偏光方向変換手段はλ／２板であり、かつ、前記偏光分離手段の前記Ｐ偏光成分の光を出射する光出射面に配置されてなり、
　前記λ／２板の光出射面側および前記反射手段の光出射側に偏光板が設けられてなり、
　前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置。
（４）請求項３記載の投写型表示装置において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有し、前記集光手段によって集光された光が前記変調手段に入射されてなることを特徴とする投写型表示装置。
（５）光源と、
　前記光源から出射された光の偏光軸を揃える偏光発生手段と、
　前記偏光発生手段から出射された光を複数の色光に分離するダイクロイックミラーと、
　前記ダイクロイックミラーによって分離された色光をそれぞれ変調する複数の変調手段と、
　前記複数の変調手段により変調された光を投写する投写手段とを有する投写型表示装置であって、
　前記偏光発生手段は、
　前記光源からの光をＰ偏光成分の光とＳ偏光成分の光とに分離し、かつ、前記Ｐ偏光成分の光と前記Ｓ偏光成分の光とを異なる方向に分離する偏光分離手段と、
　前記偏光分離手段により分離された一方の偏光成分の光を他方の偏光成分の光の偏光方向に変換する偏光方向変換手段と、
　前記偏光分離手段により前記一方の偏光成分の光と異なる方向に分離された他方の偏光成分の光を、前記一方の偏光成分の光と平行な方向に反射する反射手段と、を有し、
　前記一方の偏光成分はＰ偏光成分であり、前記他方の偏光成分はＳ偏光成分であり、
　前記偏光方向変換手段はλ／２板であり、かつ、前記偏光分離手段の前記Ｐ偏光成分の光を出射する光出射面に配置されてなり、
　前記λ／２板の光出射面側および前記反射手段の光出射側に偏光板が設けられてなり、
　前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする投写型表示装置。
（６）請求項５記載の投写型表示装置において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有し、前記集光手段によって集光された光が前記ダイクロイックミラーによって分離されて前記複数の変調手段に入射されてなることを特徴とする投写型表示装置。
【発明の詳細な説明】
［産業上の利用分野］
　本発明は、１種類の偏光成分を有する光を出射する偏光光源、及び、この偏光光源を用いた投写型表示装置に関する。
［従来の技術］
　従来は、特開昭６３−１８５１８８号公報に記載され、第１３図に示すような構成の技術が知られていた。第１３図において、光源（１）を出射した光は偏光板（４４）に入射し、Ｐ偏光成分とＳ偏光成分のうち所望偏光成分の選択を受ける。偏光板（４４）を透過した光は分光用ダイクロイックミラー（４５）によって赤、緑、青の３原色に分離され、赤色成分Ｒは反射鏡（４６）によって光路を変えられつつ直進し、緑色成分Ｇはそのまま直進し、青色成分Ｂは反射鏡（４６）によって光路を変えられつつ直進して、それぞれの色に対応する液晶ライトバルブ（８Ｒ），（８Ｇ），（８Ｂ）によって光変調され、合成用ダイクロイックプリズム（４７）によって合成された後偏光板（４８）に入射する。偏光板（４８）では再び所望偏光成分の選択を受けて映像光となり、投写レンズ（４９）によって前方のスクリーン（１３）に拡大投写される。
［発明が解決しようとする課題］
　しかし、従来の技術では、光源（１）からの出射光を偏光板（４４）により不要偏光成分を吸収することによって所望偏光成分を選択透過する構成であり、偏光板（４４）への入射光のうちの５０％が自動的に失われるうえに、偏光板自身の透過率も８０％程度であるため、高輝度光源を用いても所望の明るさが得られないという欠点を有していた。又、偏光板（４４）が上記の熱吸収を受けるため、広い温度条件下における信頼性の保証が難しく、それを保証するためには冷却能力の高い高回転型の冷却ファンを設ける必要があり、高回転型の冷却ファンはその回転数に相当する騒音を伴うため、今日のＡＶ志向に適合する投写型液晶表示装置は実現できないという問題点も有する。
　本発明の液晶表示装置は以上の課題を解決するもので、その目的とするところは、光源からの出射光束を最大限活用した高輝度画像を実現し、広い環境温度条件下における信頼性が高く、低騒音で今日のＡＶ志向に適合しうる投写型液晶表示装置を提供することにある。
［課題を解決するための手段］
　上記のような課題を解決するために、本発明の偏光光源は、光源と、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ／２板であり、かつ、前記偏光分離手段の前記Ｐ偏光成分の光を出射する光出射面に配置されてなり、前記λ／２板の光出射面側および前記反射手段の光出射側に偏光板が設けられてなり、前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする。
　また、上記の偏光光源において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有することを特徴とする。
　本発明の投写型表示装置は、光源と、前記光源から出射された光の偏光軸を揃える偏光発生手段と、前記偏光発生手段から出射された光を変調する変調手段と、前記変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ／２板であり、かつ、前記偏光分離手段の前記Ｐ偏光成分の光を出射する光出射面に配置されてなり、前記λ／２板の光出射面側および前記反射手段の光出射側に偏光板が設けられてなり、前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする。
　また、上記の投写型表示装置において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有し、前記集光手段によって集光された光が前記変調手段に入射されてなることを特徴とする。
　本発明の第２の投写型表示装置は、光源と、前記光源から出射された光の偏光軸を揃える偏光発生手段と、前記偏光発生手段から出射された光を複数の色光に分離するダイクロイックミラーと、前記ダイクロイックミラーによって分離された色光をそれそれ変調する複数の変調手段と、前記複数の変調手段により変調された光を投写する投写手段とを有する投写型表示装置であって、前記偏光発生手段は、前記光源からの光をＰ偏光成分の光とＳ偏光成分の光とに分離し、かつ、前記Ｐ偏光成分の光と前記Ｓ偏光成分の光とを異なる方向に分離する偏光分離手段と、前記偏光分離手段により分離された一方の偏光成分の光を他方の偏光成分の光の偏光方向に変換する偏光方向変換手段と、前記偏光分離手段により前記一方の偏光成分の光と異なる方向に分離された他方の偏光成分の光を、前記一方の偏光成分の光と平行な方向に反射する反射手段と、を有し、前記一方の偏光成分はＰ偏光成分であり、前記他方の偏光成分はＳ偏光成分であり、前記偏光方向変換手段はλ／２板であり、かつ、前記偏光分離手段の前記Ｐ偏光成分の光を出射する光出射面に配置されてなり、前記λ／２板の光出射面側および前記反射手段の光出射側に偏光板が設けられてなり、前記λ／２板によって前記Ｓ偏光成分の光の偏光方向に変換された光と、前記反射手段によって反射された前記Ｓ偏光成分の光とが、その偏光方向を変えることなく前記偏光板に入射されることを特徴とする。
　また、上記第２の投写型表示装置において、前記偏光分離手段により分離され、前記偏光方向変換手段によってＳ偏光成分の光に変換された光と、前記偏光分離手段により分離され、前記反射手段によって反射されたＳ偏光成分の光とを集光して、光束の断面積を小さくする集光手段を有し、前記集光手段によって集光された光が前記ダイクロイックミラーによって分離されて前記複数の変調手段に入射されてなることを特徴とする。
［作用］
　上記のように構成された偏光光源及び投写型表示装置において、光源からの光をＰ偏光成分の光とＳ偏光成分の光とに分離し、かつ、前記Ｐ偏光成分の光と前記Ｓ偏光成分の光とを異なる方向に分離する偏光分離手段として、プリズムを用いる場合は、その誘導体多層膜コーティング層を施した斜面に光が４５°で入射するように構成することによって、入射光を９８％以上の純度でＰ偏光成分とＳ偏光成分に分離できる。又、ガラス板の積層構造を用いる場合、光の入射角がブリュースター角になるように構成すると、Ｐ偏光成分は１００％透過しＳ偏光成分はガラス板の枚数に応じた割合で反射するため、やはりＰ偏光成分とＳ偏光成分に分離できる。
　分離されたＳ偏光成分の光は反射鏡によりＰ偏光成分の光と平行な方向に反射され、分離されたＰ偏光成分の光はλ／２板によりＳ偏光成分の光に変換されて、分離されたＳ偏光成分の光と偏光方向を同一にされて、両偏光成分共、Ｓ偏光成分として変調手段に入射し画像投影に寄与する。
　偏光分離手段による偏光成分分離後の両偏光成分の変調手段までの距離が概ね等しいことが照度むらを低減させる上で有効であり、くさび型反射鏡を用いることによりそれを実現できる。
　このようにして、光源からの出射光を偏光分離手段によってＰ，Ｓ偏光成分に分離後概ね平行に並列出射すると、並列出射後の照射面積は分離前の照射面積の約２倍となるため、並列出射後の両偏光成分を凸レンズと凹レンズの組合せレンズにより集光すると、より大きな光源の光をより小さな変調手段のアパーチャーに集めることが可能となり、これも光源からの出射光束を効率的に活用するために有効である。
　更に、以上のようにして得られる両偏光成分が変調手段のアパーチャーを二分割して照射するように構成すると、光源からの出射光束を一層効率的に活用することが可能である。
［実施例］
　以下に本発明の実施例を図面に基づいて説明する。第１図は、本発明の実施例における光学系の構成図である。第１図において、ハロゲンランプ，キセノンランプ，メタルハライドランプ等の高演色性を有するランプを用いた光源（１）を出射した光は偏光ビームスプリッター（２）に入射し、偏光ビームスプリッター（２）の反射面においてＰ偏光成分は透過しＳ偏光成分は反射される。偏光ビームスプリッター（２）を出射したＰ，Ｓ両偏光成分は偏光発生手段（３）に入射し、Ｐ偏光成分或はＳ偏光成分に統一され、概ね平行に隙間を持たずに並列出射して光分離手段（４）に入射する。共に入射した両偏光成分は、青色反射ダイクロイックミラー（５）により青色光（約５００ｎｍ以下の光）が反射され、その他の光（黄色光）が透過される。反射された青色光は反射ミラー（６）により方向を変えられ、青色用液晶ライトバルブ（８Ｂ）に入射する。青色反射ダイクロイックミラー（５）を透過した光は、赤色透過ダイクロイックミラー（７）に入射し緑色光（約５００ｎｍから約６００ｎｍの間の光）が反射され、その他の光である赤色光（約６００ｎｍ以上の光）が透過される。反射された緑色光は緑色用液晶ライトバルブ（８Ｇ）に入射し、透過した赤色光は赤色用液晶ライトバルブ（８Ｒ）に入射する。入射した各色光は、液晶ライトバルブ（８Ｒ），（８Ｇ），（８Ｂ）によって各色毎に対応した光変調、即ち、各色毎に印加される信号電圧の大きさによって各色毎に画像を形成する。液晶ライトバルブ（８Ｒ），（８Ｇ），（８Ｂ）は、入射光の透過率の制御を行うシャッターの機能を果たすため、アクティブマトリクス液晶パネルや単純マトリクス液晶パネルのみならず、信号電圧に応じ透過率を可変できる液晶パネルであればよい。液晶ライトバルブ（８Ｒ），（８Ｇ），（８Ｂ）によって光変調を受けた各色光は光合成手段（９）に入射し、青色光は青色透過ダイクロイックミラー（１０）を透過後赤色透過ダイクロイックミラー（１１）で反射され、緑色光は青色透過ダイクロイックミラー（１０）及び赤色透過ダイクロイックミラー（１１）で反射され、赤色光は反射ミラー（６）で反射された後赤色透過ダイクロイックミラー（１１）を透過する。上記のようにして色合成された光は、投写レンズ（１２）に入射し前方のスクリーン（１３）上に拡大投写される。なお、液晶ライトバルブ（８Ｒ），（８Ｇ），（８Ｂ）の位置を互いに置き換えてもそれに対応するダイクロイックミラーを設定することによって上記と同様の光分離及び光合成が可能である。
　液晶ライトバルブ（８Ｒ），（８Ｇ），（８Ｂ）はそれぞれその前後の偏光板（１４），（１５）において偏光成分の選択を受けることによって画像表示を可能にするが、偏光板（１４）は偏光ビームスプリッター（２）の補助偏光板として用いるため、偏光ビームスプリッター（２）の偏光度が１００％に近い場合は不要である。
　第２図は、一対の直角プリズムであるキューブ状の偏光子による偏光ビームスプリッターの模式図であり、二つの直角プリズムの斜面に屈折率の高い層と低い層とを交互に積層した誘電体層をコーティングし、その斜面どうしを接着剤で張り合わせた構造を持つ。キューブの外表面（１６）に０°で（張り合わせ面の誘電体多層膜コーティング層（１７）に対して４５°で）入射した無偏光の光は、誘電体多層膜コーティング層（１７）において、後述のガラス板による偏光ビームスプリッターと同様の原理により、互いに直交するＰ偏光成分とＳ偏光成分に分離され、正確に９０°の分離角を持ってキューブの隣接する二つの外表面（１８），（１９）から出射される。即ち、コーティングの各層の境界面において入射光線がほぼブリュースター角で入射するため、Ｐ偏光成分は全く反射されずにコーティング層（１７）を透過する。又、Ｓ偏光成分は各境界面で部分的に反射されるが、境界面の数が多いため最終的な全反射率は９８％以上になる。このように、偏光ビームスプリッター（２）として偏光分離性能の高いものを用いる場合は、第１図における偏光板（１４）を省略することができる。
　第３図は、後述のガラス板による偏光ビームスプリッターの原理を表す図であり、前述の偏光成分分離もこれと同様の原理と考えることができる。第３図において、ガラス板（２０）はｔ＝１ｍｍ程度の板厚を持ち、その屈折率をｎ２、ガラス板入射前の媒質の屈折率をｎ１、光の入射角をθとし、
　　　θ＝ｔａｎ−１（ｎ２／ｎ１）
なる関係にガラス板（２０）を設けるとき、Ｐ偏光成分（２１）は１００％透過しＳ偏光成分（２２）の約１５％は反射する。（このときのθがブリュースター角である。）従って、このガラス板（２０）を複数枚平行に重ねた構成にすると理想的には最終的にＰ偏光成分（２１）が１００％透過し、Ｓ偏光成分（２２）が１００％反射する。実測では、横軸にガラス板（２０）の枚数をとり縦軸に偏光度をとると第４図のような関係になり、ガラス板（２０）を８枚〜１０枚用いると約８０％の偏光度が達成でき、第１図における偏光板（１４）によるＳ偏光成分の吸収は３０％足らずですみ、偏光板（１４）の温度上昇を極小にできる。
　第５図は、偏光発生手段（３）として反射鏡を用いる場合の参考例である。光源（１）からの出射光は偏光ビームスプリッター（２）によって透過光であるＰ偏光成分と反射光であるＳ偏光成分とに分離され、Ｐ偏光成分は反射鏡（２３）及び（２４）によって進行方向及び偏光方向を変換され、Ｓ偏光成分は反射鏡（２５）及び（２６）によって進行方向を変換されて、両者は概ね同一方向に平行に、又、同一方向の偏光方向に変換されて並列に出射する。即ち、Ｐ偏光成分とＳ偏光成分に分離された各偏光成分を、メリディオナル面反射とサジッタル面反射の幾何光学的反射方向特性の組合せにより進行方向と偏光方向を統一し、概ね平行に隙間がなく並列出射することができ、両偏光成分により図のごとく前方の液晶ライトバルブ（８）のアパーチャーを二分割照射する。なお、本参考例をはじめ以下の参考例及び実施例において、偏光ビームスプリッター（２）としては上記キューブ状の偏光子とガラス板による偏光子の二種類が選択でき、並列出射後の画像形成及び画像投写は既に述べた構成による。又、反射鏡の配置によって、出射光をＰ偏光成分に統一することや並列出射光を横並列，縦並列から選択することが可能なことは言うまでもない。
　第６図は、本発明の別の参考例を表す図であり偏光発生手段（３）としてλ／４板を用いたものである。光源（１）からの出射光は偏光ビームスプリッター（２）によって透過光であるＰ偏光成分と反射光であるＳ偏光成分とに分離される。透過光であるＰ偏光成分は波長板であるλ／４板（２７）を透過することにより直線偏光が円偏光化され、前方の反射手段（２８）で反射されることによって円偏光化された出射光線の伝播方向が逆転された後、再度λ／４板（２７）を透過することによって再び直線偏光化されλ／４板（２７）に入射する前の直線偏光に対して直行するＳ偏光成分に変換されて偏光ビームスプリッター（２）に戻る。偏光ビームスプリッター（２）に戻ったＳ偏光成分は、偏光ビームスプリッター（２）の反射面にて方向転換され、反射手段（２９），（３０）によって方向転換を繰り返した後くさび型反射鏡（３１）に向かう。一方、最初に偏光ビームスプリッター（２）の反射面にて反射されたＳ偏光成分は前述のＳ偏光成分と光源（１）の光軸に対して鏡面状態の反射を反射手段（２９），（３０）によって繰り返し、やはりくさび型反射鏡（３１）に向かい、前述のＳ偏光成分と共にくさび型反射鏡（３１）によって進行方向を変換され概ね平行に隙間なく並列出射して、液晶ライトバルブ（８）のアパーチャーを二分割照射する。くさび型反射鏡（３１）はアルミニウム，ステンレス等の金属によるくさび型基板の反射面に金属コーティング，誘電体多層膜コーティング等の高反射ミラーコーティングを施し形成される。
　第７図は、λ／４板（２７）の原理を示す図であり、入射光線の直線偏光面（３２）とλ／４板（２７）の結晶の光軸方向（３３）とがなす角度ζが４５°である場合に、直線偏光の入射光線を円偏光に（或はその逆に）変換できることを示す図である。
　第８図は、本発明の別の参考例であり偏光発生手段（３）としてλ／２板を用いたものである。光源（１）からの出射光は偏光ビームスプリッター（２）によって透過光であるＰ偏光成分と反射光であるＳ偏光成分とに分離される。反射したＳ偏光成分は反射鏡（３４）によって進路を曲げられ、波長板であるλ／２板（３５）によって偏光面を９０°回転されてＰ偏光成分に変換された後反射鏡（３６）に向かう。一方、透過したＰ偏光成分は反射鏡（３４）によって進路を曲げられてくさび型反射鏡（３６）に向かい、前述のＰ偏光成分と共にくさび型反射鏡（３６）によって反射され、概ね平行に隙間なく並列出射して液晶ライトバルブ（８）のアパーチャーを二分割照射する。λ／２板（３５）は上記の位置の他に上記Ｓ偏光成分の光路上の反射鏡（３４）の手前、或は、使用偏光成分としてＳ偏光成分を用いる場合は上記Ｐ偏光成分の光路上の反射鏡（３４）の前後どちらか一方に設けることにより、やはり単一の偏光成分に統一された両偏光成分を概ね平行に並列出射することができる。本参考例においては前述の実施例と同様にくさび型反射鏡（３６）を用いており、両実施例に共通することは、偏光ビームスプリッター（２）出射後液晶ライトバルブ（８）に至る光路長が両偏光成分において概ね等しいことであり、両参考例を表す図より明らかなように、くさび型反射鏡（３１），（３６）を用いることにより概ね等しい最短の光路長を実現でき、両偏光成分間の隙間も防止できるため、くさび型反射鏡（３１），（３６）を用いることは明るい照度むらの少ない投写画像を実現するためには有効である。
　第９図は、λ／２板（３５）の原理を示す図であり、入射光線の直線偏光面（３７）とλ／２板（３５）の結晶の光軸方向（３８）とがなす角度ζが４５°である場合に、入射した直線偏光の偏光面が９０°回転するためＰ（Ｓ）偏光成分がＳ（Ｐ）偏光成分に変換されるのである。
　第１０図は、偏光発生手段（３）としてλ／２板（３５）を用いた別の参考例を表す図である。光源（１）からの出射光は偏光ビームスプリッター（２）により透過光であるＰ偏光成分と反射光であるＳ偏光成分とに分離される。反射されたＳ偏光成分は反射鏡（３９）により進路を変換されてλ／２板（３５）に入射し、λ／２板（３５）によって偏光方向を９０°回転されてＰ偏光成分となり直進する。偏光ビームスプリッター（２）を透過したＰ偏光成分は、反射鏡（４０）によってもう一方のＰ偏光成分と同一方向に進路を変換されて共に隙間なく並列出射し、前方の液晶ライトバルブ（８）のアパーチャーを二分割照射する。本参考例においてもλ／２板（３５）の位置は、上記の他に反射鏡（３９）の手前及び反射鏡（４０）の前後の何れかに設定すれば、単一の偏光方向に統一された両偏光成分を概ね平行に並列出射することが可能である。本参考例が第８図に示す参考例に比べて優れるのは、２枚の反射鏡による簡単な構造で所望の目的を達成できる点にある。
　第１１図は、偏光発生手段（３）としてλ／２板（３５）を用いた実施例を表す図である。光源（１）からの出射光は偏光ビームスプリッター（２）により透過光であるＰ偏光成分と反射光であるＳ偏光成分とに分離される。透過したＰ偏光成分は、偏光ビームスプリッター（２）に近接して設けたλ／２板（３５）を透過することによって偏光面が９０°回転し、Ｓ偏光成分となって直進する。偏光ビームスプリッター（２）によって反射されたＳ偏光成分は、反射鏡（４１）によってもう一方のＳ偏光成分と同一方向に一回進路を変換されて、共に概ね平行に隙間なく並列出射し、液晶ライトバルブ（８）のアパーチャーを二分割照射する。本実施例は第８図，第１０図の参考例と比べて最も簡単な構成である。
　第１２図は、第１１図の実施例において偏光発生手段（３）の直後に凸レンズ（４２）と凹レンズ（４３）を組合わせて設けた実施例であり、上記の他の参考例においても同様の構成が可能である。上記各々の参考例において、それぞれの説明より共通して明かなように、偏光方向変換手段（３）からの並列出射光の縦断面積は光源（１）からの出射光の縦断面積の概ね２倍である。従って、光源（１）からの出射光を有効に活用するためには、液晶ライトバルブ（８）のアパーチャの面積を光源（１）からの出射光の縦断面積の概ね２倍に相当する面積に近付けることが必要である。明るくコンパクトな液晶表示装置を実現するためには、できるだけ大きな光源とできるだけ小さな液晶ライトバルブとの組合せが必要であり、本実施例はそれを可能にする。上記各々の参考例において、同様な状態で偏光方向変換手段（３）を出射した平行光は、第１２図に示すように凸レンズ（４２）によって集光され凹レンズ（４３）によって再び平行光に変換されるため、凸レンズ（４２）に入射前の光の縦断面積に比べて小さな縦断面積の平行光となって液晶ライトバルブ（８）を二分割照射できるのである。
　以上の実施例により述べたように、本発明によれば光源（１）からの出射光束を殆ど液晶ライトバルブ（８）のアパーチャーに入射することが可能である。又、光源（１）と偏光板（１４）とが適度の距離を持って配置され、且つ偏光板（１４）の不要偏光成分吸収による温度上昇が殆ど起こらないため、冷却能力の高い高回転型の冷却ファンを設ける必要がなく、低回転型の冷却ファンでも広い温度条件下における信頼性が保証できる。なお、偏光板（１４）が不要の場合は、更に温度条件に対して好条件であることは言うまでもない。
［発明の効果］
　以上説明したように、本発明の偏光光源は、光源からの出射光を１種類の偏光成分として出射する構成となっているため、これを投写型表示装置に採用すれば光源からの出射光束を殆ど変調素子に入射させることが可能であり、光源からの出射光束を最大限活用した高輝度画像を実現できる。また、偏光板における熱吸収による温度上昇が大幅に低減されるため、低回転型で低騒音の冷却ファンを採用することが可能となる。
　また、本発明の投写型表示装置は、光源からの出射光を１種類の偏光成分として出射する偏光発生手段を備えているため、光源からの出射光束を殆ど変調素子に入射させることが可能であり、光源からの出射光束を最大限活用した高輝度画像を実現できる。また、偏光板における熱吸収による温度上昇が大幅に低減されるため、低回転型で低騒音の冷却ファンを採用することが可能となる。
　このように、本発明によれば、広い温度条件下において信頼性が高く、しかも投写画像の明るい投写型表示装置を提供することができる。
【図面の簡単な説明】
　第１図は、本発明の実施例における光学系の構成図、
　第２図は、一対の直角プリズムであるキューブ状の偏光子の模式図、
　第３図は、ガラス板による偏光ビームスプリッターの原理図、
　第４図は、ガラス板の偏光ビームスプリッターによるガラス板の枚数と偏光度の関係図、
　第５図は、反射鏡による偏光方向変換手段を用いた参考例の構成図、
　第６図は、λ／４板による偏光方向変換手段を用いた参考例の構成図、
　第７図は、λ／４板の原理図、
　第８図は、λ／２板による偏光方向変換手段を用いた参考例の構成図、
　第９図は、λ／２板の原理図、
　第１０図は、λ／２板による偏光方向変換手段を用いた別の参考例の構成図、
　第１１図は、λ／２板による偏光方向変換手段を用いた実施例の構成図、
　第１２図は、第１１図に示す実施例において偏光方向変換手段の直後に組合せレンズを用いた実施例の構成図、
　第１３図は、従来の投写型液晶表示装置の構成図である。
　１・・・光源
　２・・・偏光ビームプリッター
　３・・・偏光方向変換手段
　４・・・光分離手段
　５・・・青色反射ダイクロイックミラー
　６・・・反射ミラー
　７・・・赤色透過ダイクロイックミラー
　８・・・液晶ライトバルブ
　９・・・光合成手段
　１０・・・青色透過ダイクロイックミラー
　１１・・・赤色透過ダイクロイックミラー
　１２・・・投写レンズ
　１３・・・スクリーン
　１４，１５・・・偏光板
　２０・・・ガラス板
　２３，２４，２５，２６・・・反射鏡
　２７・・・λ／４板
　３１・・・くさび形反射鏡
　３５・・・λ／２板
　３６・・・くさび形反射鏡
　４２・・・凸レンズ
　４３・・・凹レンズ